(57)【要約】【課題】被検体へ不安感を与えることを軽減すると共に、被検体への指示を正確に与えることによって、撮影効率を向上させる。【解決手段】静磁場が形成されている撮像空間Ｂへ撮影領域が移動された被検体ＳＵに、スキャンの実施に要する残り時間に関するスキャン残存時間情報を提供する。ここでは、スキャンが実施された際に、そのスキャンの実施に要する残り時間に基づいて複数の照明系２１１ａ，２１１ｂ，２１１ｃ，２１１ｄ，２１１ｆが照明光を照明する動作を制御することによって、そのスキャン残存時間情報を被検体ＳＵへ提供する。【選択図】図２
2008043725.tif 000002
【特許請求の範囲】
【請求項１】
静磁場空間において被検体の撮影領域にＲＦパルスを送信し、前記撮影領域において発生する磁気共鳴信号を受信するスキャンを実施した後に、前記スキャンの実施によって受信された前記磁気共鳴信号に基づいて、前記撮影領域についての断層画像を生成する磁気共鳴イメージング装置であって、
前記被検体を支持するクレードル部と、
前記クレードル部によって支持された前記被検体の撮影領域を、前記スキャンを実施する際に前記静磁場空間へ移動するクレードル移動部と、
前記クレードル移動部によって前記撮影領域が前記静磁場空間へ移動された前記被検体へ情報を提供する情報提供部と
を有し、
前記情報提供部は、前記スキャンが実施されている際には、前記スキャンの実施に要する残り時間に関するスキャン残存時間情報を、前記情報として前記被検体へ提供する
磁気共鳴イメージング装置。
【請求項２】
前記情報提供部は、
前記被検体へ提供する情報を表示する情報表示部
を含む
請求項１に記載の磁気共鳴イメージング装置。
【請求項３】
前記情報表示部は、
複数の照明系を含み、
前記スキャンが実施された際には、当該スキャンの実施に要する残り時間に基づいて前記複数の照明系が照明する動作を制御することによって、前記スキャン残存時間情報を前記被検体へ提供する
請求項２に記載の磁気共鳴イメージング装置。
【請求項４】
前記複数の照明系は、前記静磁場空間に設置されている
請求項２に記載の磁気共鳴イメージング装置。
【請求項５】
前記情報提供部は、
前記被検体へ提供する情報を音声によって出力する音声情報出力部
を含む
請求項１から４のいずれかに記載の磁気共鳴イメージング装置。
【請求項６】
前記音声情報出力部は、前記静磁場空間に設置されている
請求項５に記載の磁気共鳴イメージング装置。
【請求項７】
静磁場空間において被検体の撮影領域にＲＦパルスを送信し、前記撮影領域において発生する磁気共鳴信号を受信するスキャンを実施した後に、前記スキャンの実施によって受信された前記磁気共鳴信号に基づいて、前記撮影領域についての断層画像を生成する磁気共鳴イメージング装置であって、
前記被検体を支持するクレードル部と、
前記クレードル部によって支持された前記被検体の撮影領域を、前記スキャンを実施する際に前記静磁場空間へ移動するクレードル移動部と、
前記クレードル移動部によって前記撮影領域が前記静磁場空間へ移動された前記被検体へ情報を提供する情報提供部と
を有し、
前記情報提供部は、
前記被検体へ提供する情報を表示する情報表示部
を含み、
前記情報表示部は、前記スキャンが実施された際に、前記被検体へ呼吸の動作に関する呼吸動作情報を、前記情報として提供する
磁気共鳴イメージング装置。
【請求項８】
前記情報表示部は、前記呼吸動作情報を文字情報として表示する
請求項７に記載の磁気共鳴イメージング装置。
【請求項９】
静磁場空間において被検体の撮影領域にＲＦパルスを送信し、前記撮影領域において発生する磁気共鳴信号を受信するスキャンを実施することによって、前記撮影領域についてイメージングする磁気共鳴イメージング装置であって、
前記被検体を支持するクレードル部と、
前記クレードル部によって支持された前記被検体の撮影領域を前記静磁場空間へ移動するクレードル移動部と、
前記クレードル移動部によって前記撮影領域が前記静磁場空間へ移動された前記被検体へ情報を提供する情報提供部と
を具備し、
前記情報提供部は、
前記クレードル移動部によって前記撮影領域が前記静磁場空間へ移動された前記被検体へ、前記スキャンの実施に要する残り時間に関するスキャン残存時間情報を当該スキャンが実施される際に提供するスキャン残存時間情報提供部
を有し、
前記スキャン残存時間情報提供部は、複数の色彩の照明光を前記静磁場空間に照明する照明系を含み、前記スキャンが実施される際には、当該スキャンの実施に要する残り時間に基づいて前記照明系が前記複数の色彩の照明光を照明する動作を制御することによって、前記スキャン残存時間情報を前記被検体へ提供する
磁気共鳴イメージング装置。
【請求項１０】
前記照明系は、前記静磁場空間において前記クレードル移動部が前記クレードル部を移動するクレードル移動方向に沿って前記照明光を照明するように設けられている、
請求項９に記載の磁気共鳴イメージング装置。
【請求項１１】
前記照明系は、第１の色彩の照明光と、前記第１の色彩と異なる第２の色彩の照明光とのそれぞれを、前記クレードル移動方向に沿って照明するように設けられている、
請求項１０に記載の磁気共鳴イメージング装置。
【請求項１２】
前記照明系は、前記第１の色彩の照明光を前記クレードル移動方向において照明する距離と、前記第２の色彩の照明光を前記クレードル移動方向において照明する距離とが変化するように形成されており、
前記スキャン残存時間情報提供部は、前記第１の色彩の照明光を前記クレードル移動方向において照明する距離と、前記第２の色彩の照明光を前記クレードル移動方向において照明する距離とを、前記スキャンの実施に要する残り時間に基づいて変化するように、前記照明系を制御する、
請求項１１に記載の磁気共鳴イメージング装置。
【請求項１３】
前記スキャン残存時間情報提供部は、
前記照明系が照明する照明光を、前記スキャンの実施に要する残り時間に基づいて前記第１の色彩から前記第２の色彩に変更するように、前記照明系を制御する、
請求項１１に記載の磁気共鳴イメージング装置。
【請求項１４】
前記照明系は、
光源と、
前記光源から照射された光を着色する着色部材と、
前記着色部材によって着色された光を光入射口から光出射口へ伝達する光伝達部材と、
前記静磁場空間に設置されており、前記光伝達部が前記光出射口へ伝達した光を前記静磁場空間へ前記照明光として照明する照明部材と
を有し、
前記着色部材は、
前記光源から照射された光を前記第１の色彩にするように透過する第１の領域と、前記光源から照射された光を前記第２の色彩にするように透過する第２の領域とが形成されているカラーフィルタと、
前記カラーフィルタが前記光伝達部の前記光入射口に対して移動するように、前記カラーフィルタを支持する支持部材と
前記カラーフィルタを前記光伝達部の前記光入射口に対して移動するカラーフィルタ移動部と
を含み、
前記スキャン残存時間情報提供部は、前記スキャンの実施に要する残り時間に基づいて、前記カラーフィルタ移動部に前記カラーフィルタを前記光伝達部の前記光入射口に対して移動させることによって、前記スキャン残存時間情報を前記被検体へ提供する
請求項１１または１３に記載の磁気共鳴イメージング装置。
【請求項１５】
前記光源は、白色光を照射し、
カラーフィルタは、前記光源から照射された白色光を前記第１領域が白色のままで透過するように形成されている、
請求項１４に記載の磁気共鳴イメージング装置。
【発明の詳細な説明】
【技術分野】
【０００１】
本発明は、静磁場空間において被検体の撮影領域にＲＦパルスを送信し、その撮影領域において発生する磁気共鳴信号を受信するスキャンを実施した後に、そのスキャンの実施によって受信された磁気共鳴信号に基づいて、その撮影領域について断層画像を生成する磁気共鳴イメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、静磁場空間において被検体の撮影領域にＲＦパルスを送信することにより、その撮影領域におけるプロトンのスピンを核磁気共鳴（ＮＭＲ：Ｎｕｃｌｅａｒ  Ｍａｇｎｅｔｉｃ  Ｒｅｓｏｎａｎｃｅ）現象によって励起させる。そして、その励起されたスピンにより発生する磁気共鳴（ＭＲ）信号を受信する。その後、このスキャンにより得られた磁気共鳴信号を、ローデータ（Ｒａｗ  Ｄａｔａ）として、その被検体の撮影領域についての断層画像を生成する。
【０００３】
この磁気共鳴イメージング装置においては、静磁場空間に被検体として移動された人体へ情報を提供するため、たとえば、投影画像による情報の表示や、ＭＲＩ対応の眼鏡型ディスプレイなどによる情報の表示が実施されている（たとえば、非特許文献１，非特許文献２，非特許文献３，非特許文献４，非特許文献５，非特許文献６参照）。ここでは、たとえば、静磁場が形成された静磁場空間以外に設置されたスクリーンに投影画像を投影し、ミラーを用いて投影画像を被検体が観察する。また、たとえば、液晶パネルディスプレイなどのフラットパネルディスプレイを含むように構成された眼鏡型ディスプレイを被検体が装着し、そのフラットパネルディスプレイに表示された画像を被検体が観察する。これらは、主に、ｆｕｎｃｔｉｏｎａｌ  ＭＲＩにおいて利用されている。
【０００４】
【非特許文献１】［２００６年５月２５日検索］、インターネット＜ＵＲＬ：http://www.ru.nl/fcdonders/facilities/fmri_scanners/stimulation/＞
【非特許文献２】［２００６年５月２５日検索］、インターネット＜ＵＲＬ：http://www.avotec.org/＞
【非特許文献３】［２００６年５月２５日検索］、インターネット＜ＵＲＬ：http:www.stric.com/mrispecialprocedures.htm＞
【非特許文献４】［２００６年５月２５日検索］、インターネット＜ＵＲＬ：http:www.mrinet.net/cpcommerce/product.php?p=62&PHPSESSID=d3ccb54ad27db0f65c3800b4311e4717＞
【非特許文献５】［２００６年５月２５日検索］、インターネット＜ＵＲＬ：http:www.mrivideo.com/temp/clinicalmri/mrvision.html＞
【非特許文献６】［２００６年５月２５日検索］、インターネット＜ＵＲＬ：http://www.wardray-premise.com/products/relax_view/video.html＞
【発明の開示】
【発明が解決しようとする課題】
【０００５】
ところで、磁気共鳴イメージング装置において被検体の撮影領域を撮影する際においては、その撮影が長時間に及ぶ場合がある。このため、クレードル部に固定された被検体が不安感を感じて、動きを生じ、その固定状態を維持できなくなる場合があるために、撮影した断層画像にアーチファクトが含まれるなどの不具合が発生する場合がある。
【０００６】
また、磁気共鳴イメージング装置において被検体の撮影領域を撮影する際においては、上記のように被検体の動きによってアーチファクトが生ずることを防止するために、被検体へ呼吸動作の指示を音声によって実施する場合がある。たとえば、スキャンの実施において、被検体に呼吸動作を停止させる場合には、その旨を音声によって指示する。そして、呼吸動作を再開させる場合には、その旨の指示を音声によって行う。しかし、スキャンの実施中に呼吸動作を停止することは、被検体にとって負担が大きく、精神的プレッシャーを生じさせる場合がある。このため、上記と同様に、クレードル部に固定された被検体が不安感を感じて、動きを生じ、固定状態を維持できなくなる場合があるために、撮影した断層画像にアーチファクトが生じることを防止することが困難な場合がある。また、スキャンの実施において勾配磁場を生じさせる際には、勾配コイルによる騒音が大きいために、被検体に呼吸動作の指示を伝達することが困難な場合がある。
【０００７】
このように、被検体に不安感を与えて画像品質が低下すると共に、被検体への指示が困難な場合があるために、撮影効率が低下する不具合が発生する場合があった。特に、シリンドリカルタイプのように、静磁場空間が閉鎖的なタイプにおいては、このような不具合が顕在化する場合があった。
【０００８】
したがって、本発明の目的は、被検体へ不安感を与えることを軽減すると共に、被検体への指示を正確に与えることによって、撮影効率を向上可能な磁気共鳴イメージング装置を提供することにある。
【課題を解決するための手段】
【０００９】
上記目的を達成するため、本発明の磁気共鳴イメージング装置は、静磁場空間において被検体の撮影領域にＲＦパルスを送信し、前記撮影領域において発生する磁気共鳴信号を受信するスキャンを実施した後に、前記スキャンの実施によって受信された前記磁気共鳴信号に基づいて、前記撮影領域についての断層画像を生成する磁気共鳴イメージング装置であって、前記被検体を支持するクレードル部と、前記クレードル部によって支持された前記被検体の撮影領域を、前記スキャンを実施する際に前記静磁場空間へ移動するクレードル移動部と、前記クレードル移動部によって前記撮影領域が前記静磁場空間へ移動された前記被検体へ情報を提供する情報提供部とを有し、前記情報提供部は、前記スキャンが実施されている際には、前記スキャンの実施に要する残り時間に関するスキャン残存時間情報を、前記情報として前記被検体へ提供する。
【００１０】
上記目的を達成するため、本発明の磁気共鳴イメージング装置は、静磁場空間において被検体の撮影領域にＲＦパルスを送信し、前記撮影領域において発生する磁気共鳴信号を受信するスキャンを実施した後に、前記スキャンの実施によって受信された前記磁気共鳴信号に基づいて、前記撮影領域についての断層画像を生成する磁気共鳴イメージング装置であって、前記被検体を支持するクレードル部と、前記クレードル部によって支持された前記被検体の撮影領域を、前記スキャンを実施する際に前記静磁場空間へ移動するクレードル移動部と、前記クレードル移動部によって前記撮影領域が前記静磁場空間へ移動された前記被検体へ情報を提供する情報提供部とを有し、前記情報提供部は、前記スキャンが実施された際に、前記被検体へ呼吸の動作に関する呼吸動作情報を、前記情報として提供する。
【００１１】
上記目的を達成するため、本発明の磁気共鳴イメージング装置は、静磁場空間において被検体の撮影領域にＲＦパルスを送信し、前記撮影領域において発生する磁気共鳴信号を受信するスキャンを実施することによって、前記撮影領域についてイメージングする磁気共鳴イメージング装置であって、前記被検体を支持するクレードル部と、前記クレードル部によって支持された前記被検体の撮影領域を前記静磁場空間へ移動するクレードル移動部と、前記クレードル移動部によって前記撮影領域が前記静磁場空間へ移動された前記被検体へ情報を提供する情報提供部とを具備し、前記情報提供部は、前記クレードル移動部によって前記撮影領域が前記静磁場空間へ移動された前記被検体へ、前記スキャンの実施に要する残り時間に関するスキャン残存時間情報を当該スキャンが実施される際に提供するスキャン残存時間情報提供部を有し、前記スキャン残存時間情報提供部は、複数の色彩の照明光を前記静磁場空間に照明する照明系を含み、前記スキャンが実施される際には、当該スキャンの実施に要する残り時間に基づいて前記照明系が前記複数の色彩の照明光を照明する動作を制御することによって、前記スキャン残存時間情報を前記被検体へ提供する。
【発明の効果】
【００１２】
本発明によれば、被検体へ不安感を与えることを軽減すると共に、被検体への指示を正確に与えることによって、撮影効率を向上可能な磁気共鳴イメージング装置を提供することができる。
【発明を実施するための最良の形態】
【００１３】
＜実施形態１＞
本発明にかかる実施形態１について説明する。
【００１４】
（装置構成）
図１は、本発明にかかる実施形態１において、磁気共鳴イメージング装置１の構成を示す構成図である。図１において、図１（ａ）は、磁気共鳴イメージング装置１の全体構成を示す構成図であり、図１（ｂ）は、磁気共鳴イメージング装置１において情報提供部２１の要部を示す図である。
【００１５】
図１（ａ）に示すように、本実施形態の磁気共鳴イメージング装置１は、スキャン部２と、操作コンソール部３とを有する。
【００１６】
スキャン部２について説明する。
【００１７】
スキャン部２は、図１（ａ）に示すように、静磁場マグネット部１２と、勾配コイル部１３と、ＲＦコイル部１４と、被検体移動部１５と、ＲＦ駆動部２２と、勾配駆動部２３と、データ収集部２４とを有している。スキャン部２は、静磁場が形成された撮像空間Ｂ内において、被検体ＳＵのスピンを励起するように被検体ＳＵにＲＦパルスを送信すると共に、そのＲＦパルスが送信された被検体ＳＵに勾配パルスを送信することによって、被検体ＳＵにおいて発生する磁気共鳴信号を得るスキャンを実施する。
【００１８】
スキャン部２の各構成要素について、順次、説明する。
【００１９】
静磁場マグネット部１２は、たとえば、超伝導磁石（図示なし）により構成されており、被検体ＳＵが収容される撮像空間Ｂに静磁場を形成する。ここでは、静磁場マグネット部１２は、被検体移動部１５に載置される被検体ＳＵの体軸方向に沿うように静磁場を形成する。なお、静磁場マグネット部１２は、一対の永久磁石により構成されていてもよい。
【００２０】
勾配コイル部１３は、静磁場が形成された撮像空間Ｂに勾配磁場を形成し、ＲＦコイル部１４が受信する磁気共鳴信号に空間位置情報を付加する。ここでは、勾配コイル部１３は、ｚ方向と、ｘ方向と、ｙ方向との互いに直交する３軸方向に対応するように３系統からなる。これらは、撮像条件に応じて、周波数エンコード方向と位相エンコード方向とスライス選択方向として、それぞれに勾配パルスを送信することによって勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル部１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００２１】
ＲＦコイル部１４は、図１（ａ）に示すように、被検体ＳＵのイメージング領域を囲むように配置される。ＲＦコイル部１４は、静磁場マグネット部１２によって静磁場が形成される撮像空間Ｂ内において、電磁波であるＲＦパルスを被検体ＳＵに送信して高周波磁場を形成し、被検体ＳＵのイメージング領域におけるプロトンのスピンを励起する。そして、ＲＦコイル部１４は、その励起された被検体ＳＵ内のプロトンから発生する電磁波を磁気共鳴信号として受信する。
【００２２】
被検体移動部１５は、クレードル部１５ａとクレードル移動部１５ｂとを有しており、制御部３０からの制御信号に基づいて、撮像空間Ｂの内部と外部との間において、クレードル部１５ａをクレードル移動部１５ｂで移動させる。ここで、クレードル部１５ａは、被検体ＳＵが載置される載置面を備えたテーブルであり、図１（ａ）に示すように、クレードル移動部１５ｂによって、水平方向ｘｙと上下方向ｚとのそれぞれの方向に移動され、静磁場が形成される撮像空間Ｂに搬出入される。クレードル移動部１５ｂは、クレードル部１５ａを撮像空間Ｂの内部と外部との間で移動する。クレードル移動部１５ｂは、たとえば、ローラー式駆動機構を備えており、アクチュエータによりローラーを駆動させてクレードル部１５ａを水平方向ｘｙに移動する。また、クレードル移動部１５ｂは、たとえば、アーム式駆動機構を備えており、交差した２本のアーム間の角度を可変することにより、クレードル部１５ａを上下方向ｚに移動する。
【００２３】
情報提供部２１は、情報表示部２１ａと、音声情報出力部２１ｂとを有しており、クレードル移動部１５ｂによって撮影領域が撮像空間Ｂへ移動された被検体ＳＵへ情報を提供する。
【００２４】
情報提供部２１において情報表示部２１ａは、被検体ＳＵへ提供する情報を表示する。
【００２５】
図１（ｂ）は、本発明にかかる実施形態において、情報表示部２１ａに含まれる複数の照明系２１１ａ，２１１ｂ，２１１ｃ，２１１ｄ，２１１ｅ，２１１ｆを示す図である。図１（ｂ）は、図１（ａ）に示す撮像空間Ｂにおいてｚ方向を視線とした場合を示している。
【００２６】
本実施形態において、情報表示部２１ａは、図１（ｂ）に示すように、静磁場空間に設置されている複数の照明系２１１ａ，２１１ｂ，２１１ｃ，２１１ｄ，２１１ｅ，２１１ｆを含む。この６本の照明系２１１ａ，２１１ｂ，２１１ｃ，２１１ｄ，２１１ｅ，２１１ｆは、たとえば、アクリル樹脂からなる光ファイバーを含むように構成されており、被検体ＳＵが撮像空間Ｂにおいて移動されるｙ方向に沿うように、それぞれが間隔を隔てて延在している。この複数の照明系２１１ａ，２１１ｂ，２１１ｃ，２１１ｄ，２１１ｅ，２１１ｆのそれぞれは、光源（図示なし）から光が光ファイバーに伝達され、その伝達された光で撮像空間Ｂ内を照明する。そして、詳細については後述するが、被検体についてスキャンが実施された際には、当該スキャンの実施に要する残り時間に基づいて、この複数の照明系２１１ａ，２１１ｂ，２１１ｃ，２１１ｄ，２１１ｅ，２１１ｆが照明する動作が制御され、その撮像空間Ｂに移動された被検体ＳＵへスキャン残存時間情報を提供する。
【００２７】
また、情報提供部２１において音声情報出力部２１ｂは、スピーカーを含むように構成されており、被検体ＳＵへ提供する情報を音声によって出力する。本実施形態においては、図１（ａ）に示すように、音声情報出力部２１ｂは、撮像空間Ｂに設置されている。そして、詳細については後述するが、被検体についてスキャンが実施された際には、当該スキャンの実施に要する残り時間に対応するスキャン残存時間情報を、音声によって被検体ＳＵへ提供する。つまり、いわゆるオートボイス（Ａｕｔｏ  Ｖｏｉｃｅ）機能により、スキャン残存時間情報を提供する。
【００２８】
このように、本実施形態においては、情報提供部２１は、スキャンが実施されている際には、そのスキャンの実施に要する残り時間に関するスキャン残存時間情報を、被検体ＳＵへ提供する。
【００２９】
ＲＦ駆動部２２は、ＲＦコイル部１４を駆動させて撮像空間Ｂ内にＲＦパルスを送信することによって、高周波磁場を形成する。ＲＦ駆動部２２は、制御部３０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００３０】
勾配駆動部２３は、制御部３０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００３１】
データ収集部２４は、制御部３０からの制御信号に基づいて、ＲＦコイル部１４が受信する磁気共鳴信号を収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換して出力する。
【００３２】
操作コンソール部３について説明する。
【００３３】
操作コンソール部３は、図１（ａ）に示すように、制御部３０と、画像生成部３１と、操作部３２と、表示部３３と、記憶部３４とを有する。
【００３４】
操作コンソール部３の各構成要素について、順次、説明する。
【００３５】
制御部３０は、コンピュータと、コンピュータに所定のデータ処理を実行させるプログラムとを有しており、各部を制御する。ここでは、制御部３０は、操作部３２からの操作データが入力され、その操作部３２から入力される操作データに基づいて、ＲＦ駆動部２２と勾配駆動部２３とデータ収集部２４とのそれぞれに、所定のスキャンを実行させる制御信号を出力し制御を行う。そして、これと共に、画像生成部３１と表示部３３と記憶部３４とへ、制御信号を出力し制御を行う。
【００３６】
画像生成部３１は、コンピュータと、そのコンピュータを用いて所定のデータ処理を実行するプログラムとを有しており、制御部３０からの制御信号に基づいて、画像を生成する。たとえば、画像生成部３１は、スキャン部２がスキャンを実行することによって得られた磁気共鳴信号をローデータとし、被検体ＳＵについての断層画像を再構成する。そして、画像生成部３１は、その生成した画像を表示部３３に出力する。
【００３７】
操作部３２は、キーボードやポインティングデバイスなどの操作デバイスにより構成されている。操作部３２は、オペレータによって操作データが入力され、その操作データを制御部３０に出力する。
【００３８】
表示部３３は、ＣＲＴなどの表示デバイスにより構成されており、制御部３０からの制御信号に基づいて、表示画面に画像を表示する。たとえば、表示部３３は、オペレータによって操作部３２に操作データが入力される入力項目についての画像を表示画面に複数表示する。また、表示部３３は、被検体ＳＵからの磁気共鳴信号に基づいて生成される被検体ＳＵの画像についてのデータを画像生成部３１から受け、表示画面にその画像を表示する。
【００３９】
記憶部３４は、メモリにより構成されており、各種データを記憶している。記憶部３４は、その記憶されたデータが必要に応じて制御部３０によってアクセスされる。
【００４０】
（動作）
以下より、上記の本発明にかかる実施形態１の磁気共鳴イメージング装置１の動作について説明する。
【００４１】
図２は、本発明にかかる実施形態１において、被検体ＳＵの撮影領域を撮像する際の動作を示す図である。図２において、図２（ａ）は、被検体ＳＵの撮影領域を撮像する際の動作を示すフロー図である。そして、図２（ｂ），図２（ｃ），図２（ｄ），図２（ｅ），図２（ｆ）は、被検体ＳＵの撮影領域を撮像する際に、情報提供部２１の情報表示部２１ａが動作する様子を順次示している。図２（ｂ），図２（ｃ），図２（ｄ），図２（ｅ），図２（ｆ）においては、ドットを付して表示した部分が照明光を生じていることを示す。
【００４２】
図２（ａ）に示すように、まず、被検体ＳＵを載置する（Ｓ１１）。
【００４３】
ここでは、クレードル部１５ａの載置面に被検体を載置する。
【００４４】
つぎに、図２（ａ）に示すように、被検体の撮影領域を撮像空間へ搬入する（Ｓ２１）。
【００４５】
ここでは、クレードル移動部１５ｂがクレードル部１５ａを移動させることによって、被検体ＳＵの撮影領域を撮像空間Ｂに搬入する。
【００４６】
つぎに、図２（ａ）に示すように、被検体の撮影領域についてスキャンを実施する（Ｓ３１）。
【００４７】
ここでは、静磁場が形成された撮像空間Ｂ内において、被検体ＳＵの撮影領域におけるスピンを励起するように被検体ＳＵの撮影領域にＲＦパルスを送信すると共に、そのＲＦパルスが送信された被検体ＳＵの撮影領域に勾配パルスを送信することによって、被検体ＳＵにおいて発生する磁気共鳴信号を得るスキャンを実施する。
【００４８】
このとき、クレードル移動部１５ｂによって撮影領域が撮像空間Ｂへ移動された被検体ＳＵへ情報提供部２１が情報を提供する。本実施形態においては、スキャンの実施に要する残り時間に関するスキャン残存時間情報を被検体ＳＵへ提供する。
【００４９】
情報提供部２１の情報表示部２１ａにおいては、図２（ｂ），図２（ｃ），図２（ｄ），図２（ｅ），図２（ｆ）に示すようにして、スキャン残存時間情報を被検体ＳＵへ提供する。そして、情報表示部２１ａの動作に対応するように、音声情報出力部２１ｂが音声を出力することによってスキャン残存時間情報を被検体ＳＵに提供する。
【００５０】
具体的には、スキャンの開始時点においては、図２（ｂ）に示すように、情報表示部２１ａにおいて撮像空間Ｂにて配列されている複数の照明系２１１ａ，２１１ｂ，２１１ｃ，２１１ｄ，２１１ｅ，２１１ｆのうち、その配列において両端に位置する２つの照明系２１１ａ，２１１ｆに照明光を生じさせる。そして、これと共に、スキャンの実施において要する全スキャン時間を、音声情報出力部２１ｂがスキャン残存時間情報として音声で出力する。
【００５１】
そして、スキャンが開始され、全スキャン時間に対して４分の１のスキャン時間が経過した後には、図２（ｃ）に示すように、複数の照明系２１１ａ，２１１ｂ，２１１ｃ，２１１ｄ，２１１ｅ，２１１ｆのうち、その配列において両端に位置する２つの照明系２１１ａ，２１１ｆと共に、左から２番目に位置する照明系２１１ｂに照明光を生じさせる。つまり、６つの照明系２１１ａ，２１１ｂ，２１１ｃ，２１１ｄ，２１１ｅ，２１１ｆのうち、３つの照明系２１１ａ，２１１ｂ，２１１ｆに照明光を生じさせる。そして、これと共に、残りのスキャン時間を、音声情報出力部２１ｂがスキャン残存時間情報として音声で出力する。
【００５２】
そして、全スキャン時間に対して２分の１のスキャン時間が経過した後には、図２（ｄ）に示すように、複数の照明系２１１ａ，２１１ｂ，２１１ｃ，２１１ｄ，２１１ｅ，２１１ｆのうち、その配列において両端に位置する２つの照明系２１１ａ，２１１ｆと共に、左から２番目と３番目とに位置する照明系２１１ｂ，２１１ｃに照明光を生じさせる。つまり、６つの照明系２１１ａ，２１１ｂ，２１１ｃ，２１１ｄ，２１１ｅ，２１１ｆのうち、４つの照明系２１１ａ，２１１ｂ，２１１ｃ，２１１ｆに照明光を生じさせる。そして、これと共に、スキャンの実施において要する全スキャン時間を、音声情報出力部２１ｂがスキャン残存時間情報として音声で出力する。
【００５３】
そして、全スキャン時間に対して４分の３のスキャン時間が経過した後には、図２（ｅ）に示すように、複数の照明系２１１ａ，２１１ｂ，２１１ｃ，２１１ｄ，２１１ｅ，２１１ｆのうち、その配列において両端に位置する２つの照明系２１１ａ，２１１ｆと共に、左から２番目と３番目と４番目とに位置する照明系２１１ｂ，２１１ｃ，２１１ｄに照明光を生じさせる。つまり、６つの照明系２１１ａ，２１１ｂ，２１１ｃ，２１１ｄ，２１１ｅ，２１１ｆのうち、５つの照明系２１１ａ，２１１ｂ，２１１ｃ，２１１ｄ，２１１ｆに照明光を生じさせる。そして、これと共に、スキャンの実施において要する全スキャン時間を、音声情報出力部２１ｂがスキャン残存時間情報として音声で出力する。
【００５４】
そして、スキャンの実施が完了した後には、図２（ｆ）に示すように、複数の照明系２１１ａ，２１１ｂ，２１１ｃ，２１１ｄ，２１１ｅ，２１１ｆの全てに照明光を生じさせる。そして、これと共に、スキャンの実施が終了した旨を、音声情報出力部２１ｂがスキャン残存時間情報として音声で出力する。
【００５５】
つぎに、図２（ａ）に示すように、被検体の撮影領域を撮像空間から搬出する（Ｓ４１）。
【００５６】
ここでは、クレードル移動部１５ｂがクレードル部１５ａを移動させることによって、被検体ＳＵの撮影領域を撮像空間Ｂから搬出する。
【００５７】
以上のように、本実施形態は、静磁場が形成されている撮像空間Ｂへ撮影領域が移動された被検体ＳＵに情報提供部２１が情報を提供する。ここでは、スキャンの実施に要する残り時間に関するスキャン残存時間情報を被検体へ提供する。具体的には、スキャンが実施された際に、そのスキャンの実施に要する残り時間に基づいて複数の照明系２１１ａ，２１１ｂ，２１１ｃ，２１１ｄ，２１１ｆが照明光を照明する動作を制御することによって、そのスキャン残存時間情報を被検体ＳＵへ提供する。また、これと共に、音声を出力することによって、その情報を被検体ＳＵへ提供する。このため、本実施形態は、スキャン時間が長時間に及ぶ場合であっても、クレードル部に固定された被検体が不安感を感じることを軽減できるために、被検体が動きを生じずに固定状態を維持できるため、撮影した断層画像にアーチファクトが発生することを防止することができる。また、盲人や難聴などのさまざまな被検体に的確にスキャン残存時間情報を提供できる。したがって、本実施形態は、被検体に安心感を与えて画像品質が低下することを防止すると共に、被検体への指示が的確に実施できるために、撮影効率を向上させることができる。
【００５８】
＜実施形態２＞
以下より、本発明にかかる実施形態２について説明する。
【００５９】
（装置構成）
図３は、本発明にかかる実施形態２において、磁気共鳴イメージング装置１ｂの構成を示す構成図である。
【００６０】
図３に示すように、本実施形態は、情報提供部２１の情報表示部２１ａが異なることを除き、実施形態１と同様である。このため、重複する個所については、説明を省略する。
【００６１】
図３に示すように、情報提供部２１は、情報表示部２１ａを有しており、この情報表示部２１ａは、ＭＲＩ用の眼鏡型ディスプレイを含むように構成されている。この眼鏡型ディスプレイは、図３に示すように、被検体ＳＵの眼の部分に装着される。そして、クレードル移動部１５ｂによって撮影領域が撮像空間Ｂへ移動された被検体ＳＵへ、たとえば、液晶パネルの表示画面に文字情報を表示することによって情報を提供する。本実施形態においては、スキャンが実施された際に、その被検体ＳＵへ呼吸の動作に関する呼吸動作情報を提供する。たとえば、オペレータからの指令に基づいて、この呼吸動作情報を提供する。
【００６２】
（動作）
以下より、上記の本発明にかかる実施形態２の磁気共鳴イメージング装置１ｂの動作について説明する。
【００６３】
本実施形態は、実施形態１と同様なステップにて、被検体の撮影領域について撮影を実施する。
【００６４】
このため、図２（ａ）に示すように、実施形態１と同様に、まず、被検体を載置する（Ｓ１１）。このとき、図３に示したように、情報表示部２１ａとしてのＭＲＩ用の眼鏡型ディスプレイを被検体ＳＵの眼の部分に装着させる。
【００６５】
つぎに、図２（ａ）に示すように、実施形態１と同様に、被検体の撮影領域を撮像空間へ搬入する（Ｓ２１）。
【００６６】
つぎに、図２（ａ）に示すように、被検体の撮影領域についてスキャンを実施する（Ｓ３１）。
【００６７】
ここでは、実施形態１と同様に、静磁場が形成された撮像空間Ｂ内において、被検体ＳＵの撮影領域についてスキャンを実施する。このとき、クレードル移動部１５ｂによって撮影領域が撮像空間Ｂへ移動された被検体ＳＵへ情報提供部２１が情報を提供する。
【００６８】
本実施形態においては、上述したように、情報提供部２１の情報表示部２１ａがＭＲＩ用の眼鏡型ディスプレイを含むように構成されており、この眼鏡型ディスプレイの表示画面に文字情報を表示することによって情報を提供する。ここでは、スキャンが実施された際にはオペレータからの指令に基づいて、その被検体ＳＵへ呼吸の動作に関する呼吸動作情報を提供する。
【００６９】
図４は、本発明にかかる実施形態２において、情報表示部２１ａが情報を表示する表示画面を示す図である。図４において、図４（ａ），図４（ｂ），図４（ｃ），図４（ｄ）は、被検体ＳＵの撮影領域を撮像する際に、情報提供部２１の情報表示部２１ａが表示する表示画面を順次示している。
【００７０】
スキャンが開始され、被検体に息止めをさせる前においては、図４（ａ）に示すように、「○○秒間息を止めていただきます。」といった文字情報を表示画面に表示する。
【００７１】
そして、被検体に息止めをさせる際においては、図４（ｂ）に示すように、「息を止めて下さい。」といった文字情報を表示画面に表示する。
【００７２】
そして、被検体が息止めを実施している際においては、図４（ｃ）に示すように、「あと○○秒です」といった文字情報を表示画面に表示する。ここでは、設定したスキャン条件によってスキャンを実施する際に要する全スキャン時間を、制御部３０が算出し、その禅スキャン時間から、既に結果した時間を減算することで残り時間を算出する。そして、その算出した残り時間に対応する文字情報を表示画面に表示させる。
【００７３】
そして、被検体についてのスキャンの実施が完了した際においては、図４（ｄ）に示すように、「楽にしてください」といった文字情報を表示画面に表示する。
【００７４】
この後、図２（ａ）に示すように、実施形態１と同様にして、被検体の撮影領域を撮像空間Ｂから搬出する（Ｓ４１）。
【００７５】
以上のように、本実施形態は、静磁場が形成されている撮像空間Ｂへ撮影領域が移動された被検体ＳＵに情報を提供する。ここでは、スキャンが実施された際に、その被検体ＳＵへ呼吸の動作に関する呼吸動作情報を提供する。具体的には、この呼吸動作情報を文字情報として表示画面に表示する。このため、本実施形態は、スキャンの実施において勾配磁場を生じさせ、騒音が大きい場合であっても、被検体への呼吸動作の指示を的確に提示することができる。したがって、本実施形態は、撮影効率を向上させることができる。
【００７６】
＜実施形態３＞
以下より、本発明にかかる実施形態３について説明する。
【００７７】
（装置構成）
図５は、本発明にかかる実施形態３において、磁気共鳴イメージング装置１ｃの構成の要部を概念的に示す構成図である。
【００７８】
本実施形態は、図５に示すように、情報提供部２１の情報表示部２１ａが実施形態１と異なることを除き、実施形態１と同様である。このため、重複する個所については、説明を省略する。
【００７９】
図５に示すように、情報表示部２１ａは、照明系３０１を含む。詳細については後述するが、この照明系３０１は、複数の色彩の照明光を撮像空間Ｂに照明するように構成されており、情報表示部２１ａは、スキャンが実施される際には、そのスキャンの実施に要する残り時間に基づいて、この照明系３０１が複数の色彩の照明光を照明する動作を制御する。これにより、情報表示部２１ａは、クレードル移動部１５ｂによって撮影領域が撮像空間Ｂへ移動された被検体へ、そのスキャンの実施に要する残り時間に関するスキャン残存時間情報を、そのスキャンが実施される際に提供する。
【００８０】
照明系３０１について説明する。
【００８１】
照明系３０１は、図５に示すように、光源３１１と、着色部材３２１と、光伝達部材３３１と、照明部材３４１と、照明動作制御部３５１とを有しており、撮像空間Ｂにおいてクレードル移動部１５ｂがクレードル部１５ａを移動するクレードル移動方向ｙに沿って、照明光を照明する。本実施形態においては、照明系３０１は、第１の色彩の照明光と、その第１の色彩と異なる第２の色彩の照明光とのそれぞれを、そのクレードル移動方向ｙに沿って照明する。たとえば、白色の光を、第１の色彩の照明光として照明する。また、たとえば、青色の光を、第２の色彩の照明光として照明する。ここでは、照明系３０１は、その第１の色彩の照明光をクレードル移動方向ｙにおいて照明する距離と、その第２の色彩の照明光をクレードル移動方向ｙにおいて照明する距離とが変化するように、各照明光を照明する。たとえば、照明系３０１は、スキャンの実施に要する残り時間に基づいて、その第１の色彩の照明光をクレードル移動方向ｙにおいて照明する距離と、その第２の色彩の照明光をクレードル移動方向ｙにおいて照明する距離とを、変化するように制御して、この照明動作を実施する。
【００８２】
照明系３０１の各部について順次説明する。
【００８３】
光源３１１は、たとえば、白色光を照射する。
【００８４】
着色部材３２１は、光源３１１から照射された光を着色する。図５に示すように、着色部材３２１は、カラーフィルタ３２２と、カラーフィルタ支持部材３２３と、カラーフィルタ移動部３２４とを有する。
【００８５】
ここで、着色部材３２１においてカラーフィルタ３２２は、たとえば、アクリル樹脂からなるアクリル板を含み、図５に示すように、光源３１１から照射された光を第１の色彩にするように透過する第１の領域３２２ａと、光源３１１から照射された光を、その第１の色彩と異なる第２の色彩にするように透過する第２の領域３２２ｂとが、そのアクリル板に形成されている。たとえば、このカラーフィルタ３２２において第１の領域３２２ａは、光源から照射された白色光を、白色のままで透過するように、透明に形成されている。一方で、このカラーフィルタ３２２において第２の領域３２２ｂは、光源から照射された白色光を、たとえば、青色に着色して透過するように、青色に形成されている。
【００８６】
また、着色部材３２１においてカラーフィルタ支持部材３２３は、カラーフィルタ３２２が光伝達部材３３１の光入射口に対して移動するように、カラーフィルタ３２２を支持する。たとえば、カラーフィルタ支持部材３２３は、図５に示すように、複数のローラーを含み、カラーフィルタ３２２が面に沿ってスライド可能なように、その複数のローラーがカラーフィルタ３２２を、その両端において支持する。
【００８７】
また、着色部材３２１においてカラーフィルタ移動部３２４は、駆動モータ（図示なし）を含み、カラーフィルタ支持部材３２３によってスライド可能に支持されているカラーフィルタ３２２を、その駆動モータが、光伝達部材３３１の光入射口に対して移動する。ここでは、カラーフィルタ移動部３２４は、照明動作制御部３５１からの制御信号に基づいて、カラーフィルタ３２２の面に沿った方向に平行になるように、このカラーフィルタ３２２を移動させる。これにより、カラーフィルタ３２２において形成された第１の領域３２２ａおよび第２の領域３２２ｂと、光伝達部材３３１の光入射口との位置関係が、変動される。
【００８８】
光伝達部材３３１は、複数の光ファイバを含み、着色部材３２１によって着色された光を光ファイバが光入射口から受けて、その光出射口へ伝達する。本実施形態において、図５に示すように、光伝達部材３３１は、複数の光ファイバの光入射口のそれぞれが、カラーフィルタ３２２の面に沿って並ぶように固定されている。このため、光伝達部材３３１は、上記のカラーフィルタ移動部３２４によってカラーフィルタ３２２が移動されることによって、カラーフィルタ３２２において形成された第１の領域３２２ａおよび第２の領域３２２ｂと、各光ファイバーの光入射口のそれぞれとの位置関係が変動されるため、各光ファイバーに入射される照明光の色彩が、各光入射口において変化する。そして、光伝達部材３３１は、複数の光ファイバの光出射口のそれぞれが、撮像空間Ｂにおいてクレードル部１５ａが移動されるクレードル移動方向ｙに沿って並ぶように配置されており、複数の光ファイバの光入射口のそれぞれから入射された光が、その複数の光ファイバの光出射口において出射される。すなわち、ここでは、カラーフィルタ３２２の第１の領域３２２ａを透過した白色の光を光入射口から受けた際には、その白色の光を光出射口へ伝達し、その伝達した白色の光を光出射口から出射する。そして、カラーフィルタ３２２の第２の領域３２２ｂを透過した青色の光を光入射口から受けた際には、その青色の光を光出射口へ伝達し、その伝達した青色の光を光出射口から出射する。
【００８９】
照明部材３４１は、たとえば、光ファイバを含み、図５に示すように、撮像空間Ｂにおいてクレードル部１５ａが移動されるクレードル移動方向ｙに延在するように、その光ファイバが設置されている。そして、照明部材３４１は、光伝達部材３３１が光出射口に伝達した光を、その光ファイバが受けて、その受けた光を光ファイバが撮像空間Ｂにおいて照明光として照明する。
【００９０】
照明動作制御部３５１は、スキャンの実施に要する残り時間に基づいて、カラーフィルタ移動部３２４に、カラーフィルタ３２２を光伝達部材３３１の光入射口に対して移動させることによって、スキャン残存時間情報を被検体へ提供する。本実施形態においては、照明動作制御部３５１は、制御部３０において設定されたスキャン条件についてのデータを受け、そのスキャン条件についてのデータに基づいて、スキャンの実施に要する残り時間を算出する。その後、そのスキャンの実施に要する残り時間に応じて、たとえば、照明部材３４１が白色光を照射する距離が長くなり、一方で、青色光を照射する距離が短くなるように、カラーフィルタ移動部３２４の動作を制御する。具体的には、スキャンの開始時においては、カラーフィルタ３２２の面にて青色に着色された第２領域３２２ｂが、光伝達部材３３１の光入射口に対面するように、カラーフィルタ移動部３２４にカラーフィルタ３２２を移動させる。そして、スキャンが実施された際においては、その経過時間に応じて、カラーフィルタ３２２の面にて青色に着色された第２領域３２２ｂから透明な第１領域３２２ａが、光伝達部材３３１の光入射口に対面するように、カラーフィルタ移動部３２４にカラーフィルタ３２２を移動させる。そして、スキャンが完了された際においては、カラーフィルタ３２２の面にて透明な第１領域３２２ａが、光伝達部材３３１の光入射口に対面するように、カラーフィルタ移動部３２４にカラーフィルタ３２２を移動させる。
【００９１】
（動作）
以下より、上記の本発明にかかる実施形態３の磁気共鳴イメージング装置１ｃの動作について説明する。
【００９２】
本実施形態は、実施形態１と同様なステップにて、被検体の撮影領域について撮影を実施する。
【００９３】
このため、図２（ａ）に示すように、実施形態１と同様に、まず、被検体を載置する（Ｓ１１）。
【００９４】
つぎに、図２（ａ）に示すように、実施形態１と同様に、被検体の撮影領域を撮像空間へ搬入する（Ｓ２１）。
【００９５】
つぎに、図２（ａ）に示すように、被検体の撮影領域についてスキャンを実施する（Ｓ３１）。
【００９６】
ここでは、実施形態１と同様に、静磁場が形成された撮像空間Ｂ内において、被検体ＳＵの撮影領域についてスキャンを実施する。このとき、クレードル移動部１５ｂによって撮影領域が撮像空間Ｂへ移動された被検体ＳＵへ情報提供部２１が情報を提供する。
【００９７】
本実施形態においては、スキャンが実施された際に、情報提供部２１の情報表示部２１ａがスキャン残存時間情報を被検体ＳＵに提供する。
【００９８】
図６は、本発明にかかる実施形態３において、情報表示部２１ａが情報を表示する様子を示す図である。図６において、図６（ａ），図６（ｂ），図６（ｃ）は、被検体ＳＵの撮影領域を撮像する際に、情報表示部２１ａが照明系３０１の照明部材３４１を用いて情報が表示する様子を順次示している。具体的には、図６（ａ）は、スキャンの実施が開始された際の様子を示している。そして、図６（ｂ）は、スキャンの実施が開始された後であって、所定期間経過後の様子を示している。そして、図６（ｃ）は、スキャンの実施が完了された際の様子を示している。なお、この図６においては、照明部材３４１が青色の光を照明する部分を斜線で示し、照明部材３４１が白色の光を照明する部分を無地で示している。
【００９９】
まず、図６（ａ）に示すように、スキャンの実施が開始された際においては、照明部材３４１が、全体に渡って青色の光を照明する。すなわち、図６（ａ）に示すように、カラーフィルタ３２２の面にて青色に着色された第２領域３２２ｂが、光伝達部材３３１の光入射口に対面するように、カラーフィルタ移動部３２４がカラーフィルタ３２２を移動する。
【０１００】
そして、図６（ｂ）に示すように、スキャンの実施が開始された後であって、所定期間経過後においては、一部分が青色の光であり、他の部分が白色の光になるように、照明部材３４１が照明する。すなわち、図６（ｂ）に示すように、スキャンが実施された経過時間に応じて、カラーフィルタ３２２の面にて青色に着色された第２領域３２２ｂから、透明な第１領域３２２ａが、光伝達部材３３１の光入射口に対面するように、カラーフィルタ移動部３２４がカラーフィルタ３２２を移動する。
【０１０１】
そして、図６（ｃ）に示すように、スキャンの実施が完了した際においては、照明部材３４１が、全体に渡って白色の光を照明する。すなわち、図６（ｃ）に示すように、カラーフィルタ３２２の面にて透明な第１領域３２２ａが、光伝達部材３３１の光入射口に対面するように、カラーフィルタ移動部３２４がカラーフィルタ３２２を移動する。
【０１０２】
このように、スキャンを実施する際においては、照明光の色彩の長さを変化させることによって、スキャンの残り時間を示す情報を、被検体ＳＵに提示する。
【０１０３】
つぎに、図２（ａ）に示すように、実施形態１と同様にして、被検体の撮影領域を撮像空間Ｂから搬出する（Ｓ４１）。
【０１０４】
以上のように、本実施形態においてスキャンを実施する際には、そのスキャンの実施に要する残り時間に基づいて、複数の色彩の照明光を照明する動作を制御することによって、スキャン残存時間情報を被検体へ提供する。ここでは、白色の照明光をクレードル移動方向ｙにおいて照明する距離と、青色の照明光をクレードル移動方向ｙにおいて照明する距離とを、そのスキャンの実施に要する残り時間に基づいて変化させる。このため、本実施形態は、撮像空間Ｂ内の照度を大きく変化させないために、その撮像空間Ｂに収容した被検体ＳＵへ不安感を与えることを軽減することができる。したがって、本実施形態は、被検体ＳＵにおいて体動が生ずることを防止でき、撮影効率を向上させることができる。
【０１０５】
＜実施形態４＞
以下より、本発明にかかる実施形態４について説明する。
【０１０６】
本実施形態は、図２（ａ）に示すように、被検体の撮影領域についてスキャンを実施する際に（Ｓ３１）、情報表示部２１ａがスキャン残存時間情報を被検体ＳＵに提供するときの態様が、実施形態３と異なる。このため、重複する個所については、説明を省略する。
【０１０７】
図７は、本発明にかかる実施形態４において、情報表示部２１ａが情報を表示する様子を示す図である。図７において、図７（ａ），図７（ｂ）は、被検体ＳＵの撮影領域を撮像する際に、情報表示部２１ａが照明系３０１の照明部材３４１を用いて情報を表示する様子を順次示している。具体的には、図７（ａ）は、スキャンの実施が開始された際の様子を示している。そして、図７（ｂ）は、スキャンの実施が開始された後であって、所定期間経過後の様子を示している。なお、この図７においては、照明部材３４１が青色の光を照明する部分を斜線で示し、照明部材３４１が白色の光を照明する部分を無地で示している。
【０１０８】
ここでは、図７に示すように、照明系３０１が照明する照明光を、スキャンの実施に要する残り時間に基づいて、青色の光から白色の光に変更する。
【０１０９】
具体的には、図７（ａ）に示すように、スキャンの実施が開始された際においては、照明部材３４１が、全体に渡って青色の光を照明する。すなわち、図７（ａ）に示すように、カラーフィルタ３２２の面にて青色に着色された第２領域３２２ｂが、光伝達部材３３１の光入射口に対面するように、カラーフィルタ移動部３２４がカラーフィルタ３２２を移動する。
【０１１０】
そして、図７（ｂ）に示すように、スキャンの実施が開始された後であって、所定期間経過後においては、照明部材３４１が、全体に渡って白色の光を照明する。すなわち、図７（ｂ）に示すように、カラーフィルタ３２２の面にて透明な第１領域３２２ａが、光伝達部材３３１の光入射口に対面するように、カラーフィルタ移動部３２４がカラーフィルタ３２２を移動する。
【０１１１】
以上のように、本実施形態においてスキャンを実施する際には、実施形態３と同様に、そのスキャンの実施に要する残り時間に基づいて、複数の色彩の照明光を照明する動作を制御することによって、スキャン残存時間情報を被検体へ提供する。ここでは、スキャンの実施に要する残り時間に基づいて、青色の光から、その青色とは色彩が異なる白色の光に変更する。このため、本実施形態は、実施形態３と同様に、撮像空間Ｂ内の照度を大きく変化させないために、その撮像空間Ｂに収容した被検体ＳＵへ不安感を与えることを軽減することができる。したがって、本実施形態は、被検体ＳＵにおいて体動が生ずることを防止でき、撮影効率を向上させることができる。
【０１１２】
なお、本発明の実施に際しては、上記した実施形態に限定されるものではなく、種々の変形例を採用することができる。
【０１１３】
たとえば、本実施形態においては、照明系や眼鏡型ディスプレイを用いて被検体に各種情報を提供する場合について示したが、これに限定されない。たとえば、前述したように、静磁場空間以外に設置されたスクリーンに投影画像を投影し、ミラーを用いてその投影画像を被検体が観察するように、構成する場合においても適用可能である。
【０１１４】
また、上記の実施形態においては、光ファイバを用いて、撮像空間Ｂを照明する場合について説明したが、これに限定されない。たとえば、ＬＥＤ（Ｌｉｇｈｔ  Ｅｍｉｔｔｉｎｇ  Ｄｉｏｄｅ）を、撮像空間Ｂの内部に設けてもよい。具体的には、白色ＬＥＤと有色ＬＥＤとのそれぞれを、クレードル部１５ａが移動される方向ｙに沿うように、複数配置することによって、実施形態３，４を実現させてもよい。
【０１１５】
また、上記の実施形態３，４においては、カラーフィルタをスライドさせることによって照明光の色彩を変化させることについて、説明したが、これに限定されない。たとえば、複数の色彩を含むカラーフィルタを円盤状に形成し、その円盤状のカラーフィルタを面に沿って回転させることによって、照明光の色彩を変化させるように構成してもよい。また、照明光の色彩については、白色と青色とを用いる場合について説明したが、これに限定されない。
【０１１６】
また、上記の実施形態３，４においては、１枚のアクリル板に、白色光をそのまま透過させる透明な領域と、その白色光を青色に着色する青色の領域とを設ける場合について説明したが、これに限定されない。たとえば、透明なアクリル板と、青色なアクリル板とのそれぞれを独立に設けてもよい。その他、本実施形態においては、２つの色彩の照明光を用いる場合について説明したが、３以上の色彩の照明光を用いてもよい。また、光源については、ハロゲンランプのように、黄色味を帯びた光を生ずるものでもよい。
【図面の簡単な説明】
【０１１７】
【図１】図１は、本発明にかかる実施形態１において、磁気共鳴イメージング装置１の構成を示す構成図である。
【図２】図２は、本発明にかかる実施形態１において、被検体ＳＵの撮影領域を撮像する際の動作を示す図である。
【図３】図３は、本発明にかかる実施形態２において、磁気共鳴イメージング装置１ｂの構成を示す構成図である。
【図４】図４は、本発明にかかる実施形態２において、情報表示部２１ａが情報を表示する表示画面を示す図である。
【図５】図５は、本発明にかかる実施形態３において、磁気共鳴イメージング装置１ｃの構成の要部を示す構成図である。
【図６】図６は、本発明にかかる実施形態３において、情報表示部２１ａが情報を表示する様子を示す図である
【図７】図７は、本発明にかかる実施形態４において、情報表示部２１ａが情報を表示する様子を示す図である。
【符号の説明】
【０１１８】
１：磁気共鳴イメージング装置、
２：スキャン部、
３：操作コンソール部、
１２：静磁場マグネット部、
１３：勾配コイル部、
１４：ＲＦコイル部、
１５：クレードル、
２１：情報提供部、
２１ａ：情報表示部、
２１ｂ：音声情報出力部、
２２：ＲＦ駆動部、
２３：勾配駆動部、
２４：データ収集部、
３０：制御部、
３１：画像生成部、
３２：操作部、
３３：表示部、
３４：記憶部、
３０１：照明系、
３１１：光源、
３２１：着色部材、
３２２：カラーフィルタ、
３２３：カラーフィルタ支持部材、
３２４：カラーフィルタ移動部、
３３１：光伝達部材、
３４１：照明部材、
３５１：照明動作制御部
Ｂ：撮像空間
【図１】
2008043725.tif 000003
【図２】
2008043725.tif 000004
【図３】
2008043725.tif 000005
【図４】
2008043725.tif 000006
【図５】
2008043725.tif 000007
【図６】
2008043725.tif 000008
【図７】
2008043725.tif 000009